(57)【特許請求の範囲】
【請求項１】
前面枠の裏面側に遊技盤取付枠を介して遊技盤が装着されたパチンコ遊技機において、
前記遊技盤の裏面側であって配線処理を必要とする適宜個所に一側が開口した配線収納溝を設けると共に、該配線収納溝の開口を閉塞する蓋板を装着し、
前記配線収納溝に挿入開口を有する中空箱状の取付凹部を形成すると共に、該取付凹部に係止部を設け、蓋板には係合孔を設け、
一方、配線止め具を別体に形成し、該配線止め具は凹状の配線収納部を有すると共に、左右両側に弾性腕片を設け、該弾性腕片には前記係止部に係止される係合部を設けると共に、前記係合孔に接触して該弾性腕片を内側方向へ弾性変形し、係合孔との接触が解除された状態で係合孔に係止される係合片を設け、
それによって、取付凹部に対して配線止め具を着脱自在に取付けると共に、該配線止め具に蓋板を着脱自在に取付けるようにしたことを特徴とするパチンコ遊技機。
【発明の詳細な説明】
【０００１】
【発明の属する技術分野】
本発明は、パチンコ遊技機に組み付けられる電気的部品の配線を簡単に処理できるようにしたパチンコ遊技機に関するものである。
【０００２】
【従来の技術】
近年、パチンコ遊技機ではいわゆる電子化が進んでおり、機構板等の裏面に種々の電装部品の配線が集中しており、これらの配線を処理するために配線止め片を一体に突出形成したり、また配線収納溝を設け、該配線収納溝に一部配線通しのスリットを設けた抜止め片を一体に形成したものがある。
【０００３】
また、配線収納溝に係止片を一体に設け、該係止片によって蓋板を着脱自在に設けたものがある。
【０００４】
【発明が解決しようとする課題】
しかしながら、一体に突出形成した配線止め片や配線収納溝に抜止め片を一体に形成したものは、その部位が製品全体の大きさに比べ小さいため成形不良を起こし易く、また配線止め片や抜止め片が配線を処理する際に破損した場合、配線処理ができなくなった配線によってパチンコ球の流れに支障をきたしてしまい、機構板等全体を交換しなければならず、その交換が面倒であると共にコスト高になる問題があった。
【０００５】
また、配線収納溝に蓋板を装着するものは、蓋板を装着する際に配線を挟んで断線させたり、また係止片が破損した場合は上記した同様の問題があった。
【０００６】
そこで本発明は、従来技術の有するこのような問題点に鑑みてなされたもので、配線止め具を別体に形成して簡単に取り替えができ、しかも簡単に配線処理ができて収納した配線が不用意に外れることがないパチンコ遊技機を提供するようにした。
【０００７】
【課題を解決するための手段】
上記目的を達成するために本発明は、前面枠の裏面側に遊技盤取付枠を介して遊技盤が装着され、該遊技盤の裏面に球タンク，パチンコ球払出装置，入賞球処理装置等の各種部品を集約して設けた機構板を有するパチンコ遊技機において、配線処理を必要とする適宜個所に挿入開口を有する中空箱状の取付凹部を形成すると共に、該取付凹部に係止部を設け、一方、配線止め具を別体に形成し、該配線止め具は凹状の配線収納部を有すると共に、左右両側に弾性腕片を設け、該弾性腕片には前記係止部に係止する係合部を設け、それによって、取付凹部に対して配線止め具を着脱自在に取付けるようにした。
【０００８】
また、前面枠の裏面側に遊技盤取付枠を介して遊技盤が装着され、該遊技盤の裏面に球タンク，パチンコ球払出装置，入賞球処理装置等の各種部品を集約して設けた機構板を有し、配線処理を必要とする適宜個所に一側が開口した配線収納溝を設けると共に、該配線収納溝の開口を閉塞する蓋板を装着したパチンコ遊技機において、前記配線収納溝に挿入開口を有する中空箱状の取付凹部を形成すると共に、該取付凹部に係止部を設け、蓋板には係合孔を設け、一方、配線止め具を別体に形成し、該配線止め具は凹状の配線収納部を有すると共に、左右両側に弾性腕片を設け、該弾性腕片には前記係止部に係止される係合部を設けると共に、前記係合孔に接触して該弾性腕片を内側方向へ弾性変形し、係合孔との接触が解除された状態で係合孔に係止される係合片を設け、それによって、取付凹部に対して配線止め具を着脱自在に取付けると共に、該配線止め具に蓋板を着脱自在に取付けるようにした。
【０００９】
前記取付凹部は合成樹脂で成形されるのが好ましく、形成場所は前面枠，遊技盤取付枠，遊技盤，機構板および機構板の樋カバーである。
【００１０】
前記係合部はテーパ面を有し、該テーパ面が挿入開口に接触することによって弾性腕片を内側方向へ弾性変形し、挿入開口との接触が解除された状態で係止部に係合するようにするのが好ましい。
【００１１】
また、前記配線止め具の配線収納部に、配線収納部側に屈曲した舌片を設けて配線を抜けにくくするのが好ましく、さらに舌片に弾性を持たせるとよい。
【００１２】
前記配線止め具を取付凹部に対して容易に着脱できるようにするため、配線止め具の弾性腕片に摘み部を設け、該摘み部を取付凹部の上面開口部分に対応位置させるようにするとよい。
【００１３】
また、前記蓋板の係合孔に縮閉規制部を設けて、蓋板を外す際に同時に配線止め具が外れないようにするとよい。
【００１４】
上記のように構成されたパチンコ遊技機は、配線止め具を別体に形成して取付凹部に対して着脱自在に取付けるようにしたので、配線止め具が破損しても配線止め具のみを交換して付け替えればよく、機構板等の取付本体全体を交換するような経済的損失を解消することが可能となる。また配線止め具を利用して同時に蓋板を装着することができる。
【００１５】
【発明の実施の形態】
次に、本発明に係わるパチンコ遊技機の実施の形態を図面と共に説明する。図１は本発明に係わるパチンコ遊技機の裏面図、図２は機構板の斜視図である。パチンコ遊技機１は、機枠２の前面に前面枠３を開閉自在に装着している。前面枠３の裏面には遊技盤取付枠４が固着されており、該遊技盤取付枠４に遊技盤５が着脱自在に装着される。また、遊技盤取付枠４の一側には合成樹脂製の機構板６が開閉自在に装着される。該機構板６は図２に示すように遊技盤５の裏面に相対する板状部６ａを有し、該板状部６ａの裏面上部に球タンク７が固着されている。また、球タンク７の下方にはパチンコ球を整列して導き出すタンクレール８が設けられており、該タンクレール８の下流端はカーブレール９を介してパチンコ球払出装置１０に接続されている。
【００１６】
パチンコ球払出装置１０の下方には払い出されたパチンコ球を前面枠３の前面の打球供給皿に導く排出通路１１と打球供給皿の余剰球を下部貯留皿に導くオーバーフロー通路１２が形成されている。１３は球抜通路であり、下流端はアウト球通路１４に連通されている。なお、排出通路１１、オーバーフロー通路１２，球抜通路１３，アウト球通路１４は後面が開口した樋状として機構板６の裏面に一体に成形され、その開口に樋カバー１５を装着している。
【００１７】
一方、機構板６の板状部６ａの前面には入賞球を集合する入賞球集合空間が形成されており、その下方部に入賞球集合部１７が設けられている。また、板状部６ａの裏面には入賞球集合部１７に集められた入賞球を１個ずつ排出処理する入賞球処理装置１８が設けられている。なお、入賞球集合空間を形成する板状部６ａ部分には開口窓１９が開設されており、該開口窓１９の右側辺を除く外側辺に沿って隔壁２０，２０を対設して、後面が開口した配線収納溝２１が形成され、該配線収納溝２１には上側辺，左側辺，および下側辺に区分した蓋板２２が装着される。また、上側辺と下側辺の隔壁２０には配線収納溝２１へ連通する切欠開口２０ａが形成される。また開口窓１９を塞ぐように遊技盤５の裏面に入賞球集合カバー２３が装着されており、該入賞球集合カバー２３の裏面にはパチンコ遊技機の遊技状態を制御するための回路基板を収納した基板ボックス２４が固着されており、該基板ボックス２４を開口窓１９から突出させるようにしている。
【００１８】
前記パチンコ球払出装置１０は、図６に示すようにカーブレール９の終端に連通する球通路２５と、外周にパチンコ球を受ける突条２６を螺旋状に設けたスクリュー部材２７と、該スクリュー部材２７を回転させるモーター２８とを有し、該スクリュー部材２７の回転によって突条２６に受けられているパチンコ球を１個ずつ下方の排出通路１１に払い出すものである。
【００１９】
前記入賞球処理装置１８は図７に示すように入賞球集合部１７の入賞球を一列で導き出す入賞球通路２９と、該入賞球通路２９の側方に設けられるソレノイド３０と、一端がソレノイド３０のプランジャ３０ａに連結され、かつ軸３１によって回動自在に軸支されるフリッカー部材３２とを有し、該フリッカー部材３２は入賞球通路２９の先頭の入賞球を受け止める球止部３３と回動によりその入賞球を受け入れる球受部３４とを一体に形成している。フリッカー部材３２はソレノイド３０の作動によって図７鎖線のように上方に回動し、球止部３３で受け止められていた先頭の入賞球を球受部３４に受け入れ、図７実線のようにフリッカー部材３２が下方に回動して球受部３４に受け入れた入賞球を排出し、後続する入賞球を球止部３３で受け止める動作を交互に繰り返すもので、これによって入賞球通路２９の入賞球を１個ずつ排出処理する。そして、球止部３３で受け止められた入賞球を入賞球検出器３５で検出し、その検出信号によってパチンコ球払出装置１０のモーター２８を駆動させて所定数のパチンコ球を払い出すものである。
【００２０】
そして、図２に示すように前記機構板６の後面であり、かつ該機構板６の上下隅角部に配電盤３６と電子回路基板３７とをビスにより機構板６の後面に固着すると共に、配電盤３６及び電子回路基板３７とを接続する多数の配線３９が配線収納溝２１に収納されている。
【００２１】
一方、機構板６の裏面に設けられたパチンコ球払出装置１０および入賞球処理装置１８から配線４０および４１が引き出されており、パチンコ球払出装置１０から出ている配線４０は配線収納溝２１を通して切欠開口２０ａから電子回路基板３７に接続させている。また、入賞球処理装置１８から出ている配線４１は直接電子回路基板３７に接続させている。
【００２２】
また、機構板６の裏面にはカーブレール９の球切れ検知スイッチ４２が設けられており、球切れ検知スイッチ４２から引き出された配線４３は前記配線収納溝２１に通して電子回路基板３７に接続させている。さらに、機構板６の後面には球タンク７の球切れ検知スイッチ４４が設けられており、該検知スイッチ４４から引き出される配線４５は配線収納溝２１を通して配電盤３６に接続されている。また、オーバーフロー通路１２に設けられている満タン検知スイッチ４６の配線４７は機構板６の後面で電子回路基板３７に接続されている。
【００２３】
しかして、本発明では、図３ないし図５に示すように機構板６および樋カバー１５の配線処理を必要とする適宜箇所に後述する配線止め具４８，４８ａを着脱自在に取付けるための取付凹部４９が形成されている。この取付凹部４９には係止部５０が設けられており、挿入開口４９ａの開口縁を係止部５０としている。なお、本実施の形態は取付凹部４９を機構板６および樋カバー１５に設けるように示したが、配線処理を必要とする前面枠３，遊技盤取付枠４，遊技盤５に設けるようにしてもよい。
【００２４】
一方、合成樹脂によって別体に形成される配線止め具４８は、凹状の配線収納部５１を有し、左右両側に弾性腕片５２，５２を設け、該弾性腕片５２，５２には係合段部５３，５３を有する外向爪状の係合部５４，５４が形成されている。なお、該係合部５４，５４は係止段部５３，５３から先端に向うテーパー面として形成されているので取付凹部４９の挿入開口４９ａにスムーズに挿入することができる。また、弾性腕片５２，５２を延設して摘み部５５，５５が形成されており、該摘み部５５，５５の外側には摘み易いようにすべり止めの溝が刻設されている。一方、摘み部５５の内側には配線収納部５１の開口を塞ぐように弾性を有する配線収納部５１側に屈曲した舌片５６が設けられ、配線処理された配線が簡単に抜けないようにしている。５７は配線止め具４８の取付凹部４９内でのがたつきをなくす弾性腕片５２，５２に設けられた規制突片である。
【００２５】
前記各弾性腕片５２，５２の係合部５４，５４は、配線止め具４８を機構板６および樋カバー１５の取付凹部４９に嵌め込んだ際に係合部５４，５４に接触することにより図４鎖線で示すように各弾性腕片５２，５２が内側へ弾性変形するようになっている。そして、図４実線で示すように配線止め具４８が取付凹部４９内に完全に押し込まれたとき、係合部５４，５４が挿入開口４９ａとの接触から外れると同時にその復元弾性力で係合部５４，５４の係合段部５３，５３が係止部５０，５０に係止されるようになっている。なお、前記係合部５４，５４の外側面はテーパー面に形成されているので、係止部５０，５０への係止をスムーズに行わせることができる。
【００２６】
また、図８に示す配線止め具４８ａは、配線収納溝２１に設けた取付凹部４９に取付けるもので、凹状の配線収納部５１を有し、左右両側に弾性腕片５２，５２を設け、該弾性腕片５２，５２には係合段部５３，５３を有する外向爪状の係止部５４，５４が形成されている。また、弾性腕片５２，５２を延長して摘み部５５，５５を形成し、該摘み部５５，５５には蓋板２２を係止する前方へ突出する係合片５８，５８が形成されている。なお弾性腕片５２，５２の内側に配線収納部５１に収納された配線を抜けにくくする突部５９，５９を設けている。６０は配線収納溝２１の溝幅位置に設けられた規制突起で、取付凹部４９内の左右のがたつきをなくすためのものである。なお、係合片５８，５８は弾性腕片５２，５２の移動方向と直行する方向に設けることで、蓋板２２が外れようとした際にも弾性腕片５２，５２は外れる方向には動かないため、蓋板２２が不用意に外れることはない。
【００２７】
前記蓋板２２には、図１０に示すように配線収納溝２１に設けた取付凹部４９に相対位置して係合孔６１が設けられている。前記係合片５８，５８は、蓋板２２の係合孔６１を嵌め込む際に係合孔６１の開口端に接触することにより図１１鎖線で示すように各弾性腕片５２，５２が内側へ弾性変形するようになっている。そして、図１１実線で示すように蓋板２２が完全に押し込まれたとき、係合片５８，５８との接触から外れると同時にその復元弾性力で係合片５８，５８が係合孔６１の係合受部６２，６２に係止されるようになっている。なお、前記係合片５８，５８の外側面はテーパー面に形成されているので、係合受部６２，６２への係合片５８，５８の係止をスムーズに行わせることができる。
【００２８】
しかして、配線止め具４８を機構板６および樋カバー１５に取付けるには、配線止め具４８を取付凹部４９の挿入開口４９ａに臨ませて弾性腕片５２，５２先端を嵌め合わせる。この状態で配線止め具４８を取付凹部１９内に押し込み、前述のように両弾性腕片５２，５２の係合部５４，５４を係止部５０，５０に係止させる。
【００２９】
このようにして機構板６および樋カバー１５に取付けられた配線止め具４８は、図５に示すように規制突片５７，５７によって隙間なく挿入されて前後方向のがたつきも抑止されることになり、その取付け状態が確固と固定される。なお、図４に示すように配線止め具４８を機構板６に取付けた状態において摘み部５５，５５が取付凹部４９の挿入開口４９ａに位置するようになっているため、両摘み部５５，５５を指で内側方に押圧することにより左右の弾性腕片５２，５２が内側へ弾性変形することになり、これによって配線止め具４８を容易に取外すことができる。
【００３０】
また、配線止め具４８ａを配線収納溝２１に取付けるには、配線止め具４８ａを取付凹部４９の挿入開口４９ａに臨ませて弾性腕片５２，５２先端を嵌め合わせる。この状態で配線止め具４８ａを取付凹部１９内に押し込み、前述のように両弾性腕片５２，５２の係合部５４，５４を係止部５０に係止させる。
【００３１】
このようにして配線収納溝２１に取付けられた配線止め具４８ａは、図１０に示すように規制突起６０，６０が配線収納溝２１の隔壁２０，２０に当接することになり、その取付け状態が確固と固定される。なお、図１１に示すように配線止め具４８ａを配線収納溝２１に取付けた状態において摘み部５５，５５が取付凹部４９の上面開口部分に位置するようになっているため、両摘み部５５，５５を指で内側方に押圧することにより左右の弾性腕片５２，５２が内側へ弾性変形することになり、これによって配線止め具４８ａを容易に取外すことができる。
【００３２】
しかして、本発明では上記のように構成されており、前記した配線３９，４０，４５，４７をそれぞれ機構板６に取付けた配線止め具４８により配線処理し、配線４１は樋カバー１５に取付けた配線止め具４８により配線処理するようにしている。以下に各配線の引き止めを具体的に説明する。先ず、配線３９，４０，４１，４５，４７を舌片５６に押しつけて舌片５６が弾性変形により撓んで配線３９，４０，４１，４５，４７が通過しうる隙間ができて、この隙間から配線３９，４０，４１，４５，４７を配線収納部５１へ収納させることができる。また配線収納部５１へ収納された配線３９，４０，４１，４５，４７は舌片５６に引き止められて不用意に配線収納部５１から外へ飛び出すことはない。
【００３３】
次に配線３９，４０，４３，４５を配線収納溝２１に収納するには、隔壁２０に形成された切欠開口２０ａから配線収納溝２１の中に通して収納し、順次配線止め具４８ａの配線収納部５１に収納しながら切欠開口２０ａから引き出して配電盤３６，電子回路基板３７に接続する。このように収納された配線３９，４０，４３，４５は、配線止め具４８ａの突部５９，５９により配線収納溝２１からはみだすことはない。
【００３４】
そして、蓋板２２の係合孔６１を配線止め具４８ａの摘み部５５，５５に臨ませる。この状態で蓋板２２を押し込み、前述のように係合片５８，５８を係合孔６１の係合受け部６２，６２に係止させることにより図９に示すように蓋板２２が装着される。蓋板２２を取り外すには、摘み部５５，５５を内側方に押圧することにより左右の弾性腕片５２，５２が内側に弾性変形して係合片５８，５８と係合孔６１との係合が解除され、図１０に示すように蓋板２２を容易に取り外すことができる。
【００３５】
また図１３に示すように蓋板２２の係合孔６１に縮閉規制部６３を設け、蓋板２２を取り外す際に同時に配線止め具４８ａが取付凹部４９から外れるのを防いでいる。つまり縮閉規制部６３により弾性腕片５２，５２の内側方への押圧範囲が係合片５８，５８と係合孔６１との係合が解除される範囲に規制され、配線止め具４８ａの係合部５４，５４と取付凹部４８の係止部５０，５０との係合はそのまま保持されることになる。さらに、摘み部５５，５５を内側方へ押圧すると係合片５８，５８と係合孔６１との係合が解除されると共に、図１３鎖線に示すように摘み部５５，５５の内側で縮閉規制部６３を押圧して、蓋板２２を後方に浮き上がらせ蓋板２２の取り外しが容易になる。
【００３６】
図１４は、他の実施の形態の配線止め具４８ｂの斜視図である。この配線止め具４８ｂは、配線収納部５１の開口に位置し、左右の弾性腕片５２，５２の内側に弾性を有する配線収納部５１側に屈曲した舌片５６ａ，５６ａが設けられている。そして摘み部５５には前後に係合片５８ａ，５８ａが形成され、蓋板２２の装着をより確固なものにしている。このように形成した配線止め具４８ｂを、予め配線に複数個装着してユニットとして保管しておくことができるので、ユニット化した配線を配線収納溝２１に収納しながら配線止め具４８ｂを取付凹部４９に取付けることができ、配線処理も迅速かつ簡単にできる。
【００３７】
【発明の効果】
以上に述べたように本発明に係わるパチンコ遊技機は、配線止め具を取付本体と分離して別体に形成することにより、機構板等の合成樹脂成形が容易となって低コスト化を図ることができると共に、配線止め具を取付凹部に対してワンタッチ式に簡単に取付けることができ、その取付作業の作業性を著しく向上することができる。また配線をそれぞれ適切に配線処理され、しかも引き止めた配線を不用意に外れさせることはない。
【００３８】
また配線止め具を利用して簡単に蓋板を装着できるようにしたので、別個に係止片を設ける必要がなく、さらに低コスト化を図ることができる。
【００３９】
さらに、配線止め具が破損しても該配線止め具のみを交換して付け替えればよく、機構板等の取付本体全体を交換するような経済的損失を解消することができる。
【図面の簡単な説明】
【図１】本発明に係わるパチンコ遊技機の裏面図。
【図２】図１のパチンコ遊技機の機構板の斜視図。
【図３】配線止め具を取付凹部から取り外した状態の斜視図。
【図４】配線止め具の取付状態を示す平面断面図。
【図５】配線止め具の取付状態を示す側面断面図。
【図６】パチンコ球払出装置部分の断面図。
【図７】入賞球処理装置の正面図。
【図８】他の実施の形態の配線止め具の斜視図。
【図９】他の実施の形態の配線止め具に蓋板を取付けた状態の斜視図。
【図１０】配線止め具から蓋板を取外した状態の斜視図。
【図１１】図９の側面断面図。
【図１２】蓋板の取付け状態を示す断面図。
【図１３】蓋板に縮閉規制部を設けた断面図。
【図１４】さらに他の実施の形態の配線止め具の斜視図。
【符号の説明】
１                        パチンコ遊技機
３                        前面枠
４                        遊技盤取付枠
５                        遊技盤
６                        機構板
７                        球タンク
１０                      パチンコ球払出装置
１８                      入賞球処理装置
２１                      配線収納溝
２２                      蓋板
４８，４８ａ，４８ｂ      配線止め具
４９                      取付凹部
４９ａ                    挿入開口
５０                      係止部
５１                      配線収納部
５２，５２                弾性腕片
５４，５４                係合部
５８                      係合片
６１                      係合孔
【図１】
0004139460.tif 000002
【図２】
0004139460.tif 000003
【図３】
0004139460.tif 000004
【図４】
0004139460.tif 000005
【図５】
0004139460.tif 000006
【図６】
0004139460.tif 000007
【図７】
0004139460.tif 000008
【図８】
0004139460.tif 000009
【図９】
0004139460.tif 000010
【図１０】
0004139460.tif 000011
【図１１】
0004139460.tif 000012
【図１２】
0004139460.tif 000013
【図１３】
0004139460.tif 000014
【図１４】
0004139460.tif 000015